(57)【要約】【課題】眼鏡のテンプルの長さ調整を簡単にする。【解決手段】テンプル本体２と耳掛り部３と、両者のロックと、ロック解除を行う係止部材５とによって構成され、係止部材５に対する手指の押圧操作で、テンプル本体２と耳掛り部３のロックを解除して、テンプルの長さ調整ができ、押圧解除によっテンプル本体２と耳掛り部３がロックされる。【選択図】図１
2008026757.tif 000002
【特許請求の範囲】
【請求項１】
テンプルの長さ調節可能な眼鏡において、テンプル(１)はテンプル本体(２)と、テンプル本体(２)がスライド可能に嵌合する軸部(４)を有する耳掛り部(３)と、テンプル本体(２)に耳掛り部(３)を位置決め可能に係止する係止部材(５)とによって構成され、テンプル本体(２)には該テンプル本体(２)の長手方向に延びて耳掛り部(３)側先端に開口するスリット溝(21)が開設され、耳掛り部(３)の軸部(４)にはテンプル本体(２)の先端側がスライド可能に嵌合し該軸部(４)の長さ方向に延びる案内細穴(41)と、該案内細穴(41)に略直交する小孔(42)が開設され、係止部材(５)は、該小孔(42)に嵌まってテンプル本体(２)のスリット溝(21)貫通するスライド軸(51)の一端に頭部(52)、他端にロック片(54)を具えて形成され、テンプル本体(２)にはスリット溝(21)に沿って前記ロック片(54)と係合可能な凹み(23)(23)が並んだ凹み部列(24)が形成され、ロック片(54)は、バネ(53)によってスライド軸(51)が頭部(52)側から抜け出す方向に付勢されており、係止部材(５)の頭部(52)をバネ(53)に抗して押圧し、係止部材(５)のロック片(54)とテンプル本体(２)の凹み部(23)の係合を解除した状態で、テンプル本体(２)と耳掛り部(３)を相対的にスライドさせて、テンプル(１)の長さ調整ができることを特徴とする眼鏡。
【請求項２】
バネ(53)は板バネ(51a)であって、係止部材(５)の頭部(52)から２本の板バネ(51a)(51a)が対称的に略横向きに突設されている、請求項１に記載の眼鏡。
【請求項３】
耳掛り部(３)には、係止部材(５)の頭部(52)をバネ(53)に抗して押圧したときに、頭部(52)及びバネ(53)が沈み込み可能な逃し空間(31)が形成されている、請求項１又は２に記載の眼鏡。
【請求項４】
逃し空間(31)は、係止部材(５)の両板バネ(53)の先端間の長さに対応しており、板バネ(51a)(51a)は逃し空間(31)に嵌まって外面を耳掛かり部の軸部の表面に沿わせている、請求項３に記載の眼鏡。
【請求項５】
テンプル本体(２)のスリット溝(21)を挟んで隣り合う２本の軸体(22)(22)の先端は略三角形を呈して先細に形成され、２本の軸体(22)(22)の先端間は略Ｖ字の開き部(25)が形成されている、請求項１乃至４の何れかに記載の眼鏡。
【発明の詳細な説明】
【技術分野】
【０００１】
本発明は、テンプルの長さを調節できる眼鏡に関するものである。
【背景技術】
【０００２】
従来のこの種眼鏡のテンプルの長さ調整機構は、例えば、テンプル本体と、テンプル本体がスライド可能に嵌合する細穴を具えた耳掛り部と、耳掛り部に螺合したロックネジとによって構成されている。ロックネジを緩めて耳掛り部のスライドを許し、ロックネジの締付けによって、テンプル本体に耳掛り部を固定できる。
【発明の開示】
【発明が解決しようとする課題】
【０００３】
上記テンプルの長さ調整機構では、ロックネジの緩め操作と締付け操作が必要であり、面倒である。しかも、ロックネジは極小であるから、ロックネジの回転操作には専用のドライバーが必要となる。
本発明は、ドライバー等の道具を用いることなく、ワンタッチでテンプル本体と耳掛り部のロック、ロック解除ができ、速やかにテンプルの長さ調整ができる眼鏡を明らかにするものである。
【課題を解決するための手段】
【０００４】
請求項１の眼鏡は、テンプルの長さ調節可能な眼鏡において、テンプル(１)はテンプル本体(２)と、テンプル本体(２)がスライド可能に嵌合する軸部(４)を有する耳掛り部(３)と、テンプル本体(２)に耳掛り部(３)を位置決め可能に係止する係止部材(５)とによって構成され、テンプル本体(２)には該テンプル本体(２)の長手方向に延びて耳掛り部(３)側先端に開口するスリット溝(21)が開設され、耳掛り部(３)の軸部(４)にはテンプル本体(２)の先端側がスライド可能に嵌合し該軸部(４)の長さ方向に延びる案内細穴(41)と、該案内細穴(41)に略直交する小孔(42)が開設され、係止部材(５)は、該小孔(42)に嵌まってテンプル本体(２)のスリット溝(21)貫通するスライド軸(51)の一端に頭部(52)、他端にロック片(54)を具えて形成され、テンプル本体(２)にはスリット溝(21)に沿って前記ロック片(54)と係合可能な凹み(23)(23)が並んだ凹み部列(24)が形成され、ロック片(54)は、バネ(53)によってスライド軸(51)が頭部(52)側から抜け出す方向に付勢されている。
【０００５】
請求項２は請求項１の眼鏡において、バネ(53)は板バネ(53a)であって、係止部材(５)の頭部(52)から２本の板バネ(53a)(53a)が対称的に略横向きに突設されている。
【０００６】
請求項３は請求項１又は２の眼鏡において、掛り部(３)には、係止部材(５)の頭部(52)をバネ(53)に抗して押圧したときに、頭部(52)及びバネ(53)が沈み込み可能な逃し空間(31)が形成されている。
【０００７】
請求項４は請求項３の眼鏡において、逃し空間(31)は、係止部材(５)の両板バネ(53)の先端間の長さに対応しており、板バネ(53a)(53a)は逃し空間(31)に嵌まって外面を耳掛かり部の軸部の表面に沿わせている。
【０００８】
請求項５は請求項１乃至４の何れかに記載の眼鏡において、テンプル本体(２)のスリット溝(21)を挟んで隣り合う２本の軸体(22)(22)の先端は略三角形を呈して先細に形成され、２本の軸体(22)(22)の先端間は略Ｖ字の開き部(25)が形成されている。
【発明の効果】
【０００９】
請求項１の眼鏡は、バネ(53)による係止部材(５)への付勢により、係止部材(５)のロック片(54)がテンプル本体(２)の凹み部(23)に係合して、耳掛り部(３)とテンプル本体(２)の相対的なスライドを防止する。即ち、テンプル(１)の長さが決まる。
【００１０】
係止部材(５)の頭部(52)を、バネ(53)に抗して手指で押圧すると、スライド軸(51)がテンプル本体(２)のスリット溝(21)を、溝に直交する方向にスライドして、ロック片(54)と凹み部(23)の係合が解除され、テンプル本体(２)と耳掛り部(３)の相対的なスライドが許される。これによって、テンプル(１)の長さ調節ができる。係止部材(５)の頭部(52)への押圧を解除すると、再びロック片(54)がテンプル本体(２)上の凹み部列(24)の対向する凹み部(23)に係合して、テンプル(１)の長さを固定できる。
【００１１】
上記の如く、手指による係止部材(５)の頭部(52)への押圧で、テンプル(１)の長さの固定が解除され、頭部(52)への押圧解除でテンプル(１)の長さを固定できるから、即ち、ワンタッチ操作で済むから、従来のロックネジを締める、緩めるの面倒な操作を必要とするものに較べて、作業性がよい。又、ドライバー等の工具も不要である。
【００１２】
請求項２の眼鏡は、係止部材(５)の頭部(52)と板バネ(53a)(53a)が繋がっているから、部品点数を少なくして、構成を簡素化でき、又、板バネ(53a)(53a)の組込みの手間を省くことができる。
【００１３】
請求項３の眼鏡は、係止部材(５)の頭部(52)を押圧したときに、頭部(52)及びバネ(53)が耳掛り部(３)の逃し空間(31)に逃がすことがでるから、係止部材(５)の耳掛り部(３)の外周面からの臨出量を小さくして、係止部材(５)を耳掛り部(３)に取り付けできる。このためテンプル(１)のデザインの制約を小さくして、外観をスマートにできる。
【００１４】
請求項４の眼鏡は、両板バネ(53a)(53a)を逃し空間(31)の両端に位置させて逃し空間(31)に収容して係止部材(５)を耳掛り部(３)にセットできるから、板バネ(53a)(53a)の耳掛り部(３)の外面からの臨出量を小さくでき、又、板バネ(53a)(53a)で逃し空間(31)を隠すことができるから、テンプル(１)の外観をスマートにできる。
板バネ(53a)(53a)及び頭部(52)が、模様として表れるから、テンプル(１)の美観を高めることができる。
【００１５】
請求項５の眼鏡は、テンプル(１)の組立が簡単である。
耳掛り部(３)に係止部材(５)をセットし、係止部材(５)のスライド軸(51)を耳掛り部(３)の小孔(42)に嵌めた状態で、耳掛り部(３)の案内細穴(41)に、テンプル本体(２)の先端部を押し込む。テンプル本体(２)の軸体(22)(22)先端のＶ字状開き部(25)にスライド軸(51)嵌まって、軸体(22)(22)間が無理に開かれて、スライド軸(51)をスリット溝(21)に侵入させて、テンプル(１)の組立てができるからである。
【発明を実施するための最良の形態】
【００１６】
図１、図２は、本発明の眼鏡の、長さ調節可能なテンプル(１)の組立状態を示している。  眼鏡のテンプル(１)以外の部分は本発明とは技術的に無関係であるから、説明は省略する。
テンプル(１)はテンプル本体(２)と、テンプル本体(２)がスライド可能に嵌合する軸部(４)を有する耳掛り部(３)と、テンプル本体(２)に耳掛り部(３)を位置決め可能に係止する係止部材(５)とによって構成される。
【００１７】
テンプル本体(２)は金属製の細帯板で形成され、先端側にはテンプル本体(２)の長手方向に延びて先端に開口するスリット溝(21)が開設されている。スリット溝(21)は全長亘ってテンプル本体(２)の板の厚み方向に貫通している。
テンプル本体(２)のスリット溝(21)は先端部の溝幅が狭まっている。スリット溝(21)を挟んで隣り合う２本の軸体(22)(22)の先端は略三角形を呈して先細に形成され、両軸体(22)(22)の先端間は略Ｖ字に開き部(25)を形成している。
【００１８】
両軸体(22)(22)には、スリット溝(21)に面して複数個の凹み部(23)が密なる間隔で並んだ凹み部列(24)が開設されている。
上記凹み部列(24)は、テンプル本体(２)にスリット溝(21)を加工する前に、ブレス加工、ドリルの切削加工等によって、皿状の浅い穴をテンプル本体(２)の長さ方向に密なる間隔で形成し、次いで、スリット溝(21)を加工して形成したものである。
【００１９】
実施例の耳掛り部(３)は、軸部(４)と一体に合成樹脂で形成されている。
軸部(４)にはテンプル本体(２)の先端側がスライド可能に嵌合し該軸部(４)の長さ方向に延びる案内細穴(41)と、該案内細穴(41)に略直交する小孔(42)が開設されている。
案内細穴(41)は、テンプル本体(２)先端部がガタつきなくスライド可能に嵌まる大きさである。案内細穴(41)はシューティング加工によって形成できるから、穴の断面形状をテンプル本体(２)の断面形状に対応させることができる。
小孔(42)は、案内細穴(41)の略中央部にて、案内細穴(41)と略直交して耳掛り部(３)を横向き(眼鏡を着用した状態での横向き)に貫通している。
【００２０】
軸部(４)には眼鏡を着用した状態で外側となる面に、小孔(42)を中心に軸部(４)の長手方向に延びる逃し空間(31)が開設されている。逃し空間(31)は後記する係止部材(５)を侵入を許す役割を成すもので、逃し空間(31)の底部は小孔(42)近傍から徐々に浅くなる様に湾曲しており、両端に凹部(32)(32)が形成されている。
逃し空間(31)の中央部は、後記する係止部材(５)の頭部(52)の侵入を許する様に拡大している
【００２１】
図６に示す如く、係止部材(５)は、スライド軸(51)の一端に頭部(52)、他端にロック片(54)(54)突設して形成されている。
実施例のスライド軸(51)は、丸軸の下端を残して、残りの部分を切削によって板体(51a)に形成することにより、下端部に円弧状に膨らんだロック片(54)(54)を形成している。
【００２２】
図４、図５は、係止部材(５)を耳掛り部(３)の逃し空間(31)上にセットし、耳掛り部(３)の案内細穴(41)にテンプル本体(２)の先端部を挿入した状態を示している。
係止部材(５)のスライド軸(51)は、耳掛り部(３)の小孔(42)にスライド可能に嵌まり、スライド軸(51)の板体(51a)はテンプル本体(２)のスリット溝(21)を貫通している。係止部材(５)は、バネ(53)によって逃し空間(31)から脱する方向に付勢され、スライド軸(51)のロック片(54)(54)をテンプル本体(２)の凹み部(23)(23)に係合している。
【００２３】
上記バネ(53)は、実施例では、図４、図５に示す如く、係止部材(５)の頭部(52)から対称的に略横向きに突設された２本の板バネ(53a)(53a)である。両板バネ(53a)(53a)は耳掛り部(３)側に緩やかに湾曲して、先端を下向きに屈曲している。
両板バネ(53a)(53a)の先端間の長さは、逃し空間(31)の長さに対応しており、板バネ(53a)(53a)の先端屈曲部は逃し空間(31)両端の凹部(32)(32)に嵌まっている。
【００２４】
係止部材(５)は、板バネ(53a)(53a)の逃し空間(31)からの臨出量が僅かであり耳掛り部(３)の外側面に沿う様に、逃し空間(31)に沈めて配備される。逃し空間(31)は、板バネ(53a)(53a)に隠れて外部からは見えない。
【００２５】
然して、係止部材(５)のスライド軸(51)端部のロック片(54)が、板バネ(53a)(53a)による係止部材(５)への付勢によって、テンプル本体(２)の凹み部(23)に係合すると、耳掛り部(３)とテンプル本体(２)の相対的なスライドが防止される。これによって、テンプル(１)の長さが決まる。
【００２６】
係止部材(５)の頭部(52)を、バネ(53)に抗して手指で押圧すると、スライド軸(51)がテンプル本体(２)のスリット溝(21)を、溝と直交する方向にスライドして、ロック片(54)とテンプル本体(２)の凹み部(23)の係合が解除される。これによって、テンプル本体(２)と耳掛り部(３)の相対的なスライドが許されて、テンプル(１)の長さ調節ができる。
係止部材(５)の頭部(52)への押圧を解除すると、再びロック片(54)が、テンプル本体(２)上の凹み部列(24)の対向する凹み部(23)に係合して、テンプル(１)の長さを固定できる。
【００２７】
実施例では、係止部材(５)の頭部(52)と板バネ(53a)(53a)が繋がっているから、部品点数を少なくして、構成を簡素化でき、又、板バネ(53a)(53a)の組込みの手間を省くことができる。
【００２８】
実施例の場合、テンプル(１)の組立が簡単である。
耳掛り部(３)に係止部材(５)をセットし、係止部材(５)のスライド軸(51)を耳掛り部(３)の小孔(42)に嵌めた状態で、耳掛り部(３)の案内細穴(41)に、細穴(40)ンプル本体(２)の先端部を押し込む。テンプル本体(２)の軸体(22)(22)先端のＶ字状開き部(25)にスライド軸(51)嵌まって、軸体(22)(22)間が無理に開かれて、スライド軸(51)をスリット溝(21)に侵入させて、テンプル(１)の組立てができるからである。
【００２９】
スライド軸(51)がスリット溝(21)先端の幅狭部を無理に通過すると、テンプル本体(２)の弾性復帰によって、スリット溝(21)は先端を狭める。このため、テンプル本体(２)と耳掛り部(３)のロックを解除した状態でも、テンプル本体(２)から耳掛り部(３)が不用意に抜け外れることはない。
【００３０】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００３１】
【図１】テンプルの正面図である。
【図２】図１Ａ−Ａ線に沿う断面図である。
【図３】軸部からテンプル本体を外した状態の斜視図である。
【図４】係止部材とテンプル本体の係止状態を示す断面図である。
【図５】図４Ｂ−Ｂ線に沿う断面図である。
【図６】係止部材の斜視図である。
【符号の説明】
【００３２】
１  テンプル
２  テンプル本体
21  スリット溝
22  軸体
23  凹み部
24  凹み部列
３  耳掛り部
４  軸部
５  係止部材
51  スライド軸
52  頭部
53  バネ
【図１】
2008026757.tif 000003
【図２】
2008026757.tif 000004
【図３】
2008026757.tif 000005
【図４】
2008026757.tif 000006
【図５】
2008026757.tif 000007
【図６】
2008026757.tif 000008